(57)【要約】【課題】電力消費または系統への電力供給の調整に関する依頼先のより適切な管理を可能とする表示処理装置、表示処理方法および表示処理プログラムを提供する。【解決手段】表示処理装置は、電力消費または系統への電力供給の調整の要求に対する複数の依頼先全体の実績を示す実績集約情報、および前記要求に対する前記複数の依頼先の各々の実績を示す個別実績情報を取得する取得部と、前記取得部により取得された前記実績集約情報および前記個別実績情報に基づく画面を表示する処理を行う処理部とを備える。【選択図】図３
2018207712.tif 000002
【特許請求の範囲】
【請求項１】
電力消費または系統への電力供給の調整の要求に対する複数の依頼先全体の実績を示す実績集約情報、および前記要求に対する前記複数の依頼先の各々の実績を示す個別実績情報を取得する取得部と、
前記取得部により取得された前記実績集約情報および前記個別実績情報に基づく画面を表示する処理を行う処理部とを備える、表示処理装置。
【請求項２】
前記処理部は、前記実績集約情報の内容および前記個別実績情報の内容を、１つの画面に表示する処理を行う、請求項１に記載の表示処理装置。
【請求項３】
前記処理部は、前記実績集約情報の内容および前記個別実績情報の内容を、互いに異なる画面に表示する処理を行う、請求項１に記載の表示処理装置。
【請求項４】
前記調整の期間が複数の分割期間に区分けされ、
前記処理部は、前記分割期間ごとの、前記実績集約情報の内容および前記個別実績情報の内容を表示可能である、請求項１から請求項３のいずれか１項に記載の表示処理装置。
【請求項５】
表示処理装置における表示処理方法であって、
電力消費または系統への電力供給の調整の要求に対する複数の依頼先全体の実績を示す実績集約情報、および前記要求に対する前記複数の依頼先の各々の実績を示す個別実績情報を取得するステップと、
取得した前記実績集約情報および前記個別実績情報に基づく画面を表示する処理を行うステップとを含む、表示処理方法。
【請求項６】
表示処理装置において用いられる表示処理プログラムであって、
コンピュータを、
電力消費または系統への電力供給の調整の要求に対する複数の依頼先全体の実績を示す実績集約情報、および前記要求に対する前記複数の依頼先の各々の実績を示す個別実績情報を取得する取得部と、
前記取得部により取得された前記実績集約情報および前記個別実績情報に基づく画面を表示する処理を行う処理部、
として機能させるための、表示処理プログラム。
【発明の詳細な説明】
【技術分野】
【０００１】
本発明は、表示処理装置、表示処理方法および表示処理プログラムに関する。
【背景技術】
【０００２】
従来、電力需給が逼迫している場合等に一般家庭およびオフィス等の電力需要施設における電力消費が調整されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、家庭またはビル等の電力需要施設へのエネルギーマネジメントシステムｘＥＭＳ（Ｅｎｅｒｇｙ  Ｍａｎａｇｅｍｅｎｔ  Ｓｙｓｔｅｍ）の導入が行われている。
【０００５】
ｘＥＭＳとは、電力需要施設における消費電力量を監視し、電力需要施設における機器または設備等の運転状態を管理することによって、電力需要施設における電力消費の調整を図るためのシステムである。ｘＥＭＳは、家庭向けである場合、ＨＥＭＳ（Ｈｏｍｅ  Ｅｎｅｒｇｙ  Ｍａｎａｇｅｍｅｎｔ  Ｓｙｓｔｅｍ）となり、ビル向けである場合、ＢＥＭＳ（Ｂｕｉｌｄｉｎｇ  Ｅｎｅｒｇｙ  Ｍａｎａｇｅｍｅｎｔ  Ｓｙｓｔｅｍ）となる。
【０００６】
ｘＥＭＳは、たとえばＶＰＰ（Ｖｉｒｔｕａｌ  Ｐｏｗｅｒ  Ｐｌａｎｔ）事業者すなわちアグリゲータと呼ばれる事業者と連携することによって電力需要の調整を実現する。アグリゲータは、ｘＥＭＳを導入した電力需要施設に対してエネルギー管理支援サービスを提供する。
【０００７】
また、たとえば一般家庭に設けられる太陽光発電等の電力需要施設における発電装置による発電電力の系統への逆潮流（売電）を防止するための技術が開発されている。
【０００８】
たとえば、特許文献２（特開２０１３−１７２４９５号公報）には、発電電力を無駄なく利用することができる電力貯蔵型の発電システムが開示されている。電力貯蔵型の発電システムは、外部の系統と連系され、自然エネルギーを受けて発電する発電部と、発電部による発電電力及び系統からの電力を貯蔵し、発電部と直流接続される蓄電部と、発電部の発電及び蓄電部への充放電を制御する制御部とを備える。制御部は、発電電力が系統に向けて逆潮流している際に、系統電圧と予め定められた閾値電圧との比較に基づいて、発電電力の逆潮流を停止させ、または、逆潮流する発電電力を低減させるとともに、発電電力を蓄電池に充電させる。
【先行技術文献】
【特許文献】
【０００９】
【特許文献１】特開２０１２−２０５３５８号公報
【特許文献２】特開２０１３−１７２４９５号公報
【発明の概要】
【発明が解決しようとする課題】
【００１０】
送配電事業者および電力小売り事業者は、多くの電力需要施設にｘＥＭＳが導入されることにより、全体的な電力需要を広範囲に調整することが容易となる。
【００１１】
たとえば、送配電事業者および電力小売り事業者は、電力需給の逼迫が予測される場合に、アグリゲータに対して予め節電依頼を行う。そして、アグリゲータは、電力需要施設の需要家に対して節電依頼を行う。
【００１２】
また、たとえば、送配電事業者は、電力の供給が需要を上回ると予想される場合、発電量の調整を再生エネルギー事業者に対して依頼し、さらに、系統への電力供給の調整を、発電装置を所有する需要家に対して依頼する。
【００１３】
しかしながら、再生エネルギー事業者および需要家により実際に調整される電力量は、アグリゲータまたは送配電事業者から依頼された依頼電力量と異なることがある。そして、実際に調整される電力量と依頼電力量との間に大きな差がある場合、電力需給が逼迫したり、電力の供給が需要を上回ったりし、系統における電力の需給バランスが崩れるため、好ましくない。このため、電力消費または系統への電力供給の調整の依頼先をより適切に管理することのできる技術が望まれる。
【００１４】
この発明は、上述の課題を解決するためになされたもので、その目的は、電力消費または系統への電力供給の調整に関する依頼先のより適切な管理を可能とする表示処理装置、表示処理方法および表示処理プログラムを提供することである。
【課題を解決するための手段】
【００１５】
（１）上記課題を解決するために、この発明のある局面に係わる表示処理装置は、電力消費または系統への電力供給の調整の要求に対する複数の依頼先全体の実績を示す実績集約情報、および前記要求に対する前記複数の依頼先の各々の実績を示す個別実績情報を取得する取得部と、前記取得部により取得された前記実績集約情報および前記個別実績情報に基づく画面を表示する処理を行う処理部とを備える。
【００１６】
（５）上記課題を解決するために、この発明のある局面に係わる表示処理方法は、表示処理装置における表示処理方法であって、電力消費または系統への電力供給の調整の要求に対する複数の依頼先全体の実績を示す実績集約情報、および前記要求に対する前記複数の依頼先の各々の実績を示す個別実績情報を取得するステップと、取得した前記実績集約情報および前記個別実績情報に基づく画面を表示する処理を行うステップとを含む。
【００１７】
（６）上記課題を解決するために、この発明のある局面に係わる表示処理プログラムは、表示処理装置において用いられる表示処理プログラムであって、コンピュータを、電力消費または系統への電力供給の調整の要求に対する複数の依頼先全体の実績を示す実績集約情報、および前記要求に対する前記複数の依頼先の各々の実績を示す個別実績情報を取得する取得部と、前記取得部により取得された前記実績集約情報および前記個別実績情報に基づく画面を表示する処理を行う処理部、として機能させるためのプログラムである。
【００１８】
本発明は、このような特徴的な処理部を備える表示処理装置として実現することができるだけでなく、表示処理装置を備える表示処理システムとして実現することができる。また、本発明は、表示処理装置の一部または全部を実現する半導体集積回路として実現することができる。
【発明の効果】
【００１９】
本発明によれば、電力消費または系統への電力供給の調整に関する依頼先のより適切な管理を可能とすることができる。
【図面の簡単な説明】
【００２０】
【図１】図１は、本発明の第１の実施の形態に係る電力管理システムの構成を示す図である。
【図２】図２は、本発明の第１の実施の形態に係る電力管理システムにおける電力管理サーバの構成を示す図である。
【図３】図３は、図１に示す電力管理サーバにより表示された実績画面の例１を示す図である。
【図４】図４は、図１に示す電力管理サーバにより表示された実績画面の例２−１を示す図である。
【図５】図５は、図１に示す電力管理サーバにより表示された実績画面の例２−２を示す図である。
【図６】図６は、本発明の第１の実施の形態に係る電力管理システムにおけるＤＲ実行前の各処理のシーケンスの一例を示す図である。
【図７】図７は、本発明の実施の形態の変形例に係る電力管理システムの構成を示す図である。
【図８】図８は、本発明の第２の実施の形態に係る電力管理システムにおける電力管理サーバの構成を示す図である。
【発明を実施するための形態】
【００２１】
最初に、本発明の実施形態の内容を列記して説明する。
【００２２】
（１）本発明の実施の形態に係る表示処理装置は、電力消費または系統への電力供給の調整の要求に対する複数の依頼先全体の実績を示す実績集約情報、および前記要求に対する前記複数の依頼先の各々の実績を示す個別実績情報を取得する取得部と、前記取得部により取得された前記実績集約情報および前記個別実績情報に基づく画面を表示する処理を行う処理部とを備える。
【００２３】
このような構成により、依頼先全体の実績および依頼先ごとの実績の両方を、視覚的に容易に把握することができる。したがって、電力消費または系統への電力供給の調整に関する依頼先のより適切な管理を可能とすることができる。
【００２４】
（２）好ましくは、前記処理部は、前記実績集約情報の内容および前記個別実績情報の内容を、１つの画面に表示する処理を行う。
【００２５】
このような構成により、依頼先全体の実績および依頼先ごとの実績の両方を、１つの画面において合わせて把握することができる。
【００２６】
（３）好ましくは、前記処理部は、前記実績集約情報の内容および前記個別実績情報の内容を、互いに異なる画面に表示する処理を行う。
【００２７】
このような構成により、画面に表示される内容の煩雑化を防ぎ、依頼先の数が多いような場合であっても依頼先の個々の実績を容易に把握することができる。
【００２８】
（４）好ましくは、前記調整の期間が複数の分割期間に区分けされ、前記処理部は、前記分割期間ごとの、前記実績集約情報の内容および前記個別実績情報の内容を表示可能である。
【００２９】
このような構成により、依頼先全体の実績および依頼先ごとの実績のより詳細な内容を把握することができるため、依頼先をより一層適切に管理することができる。
【００３０】
（５）本発明の実施の形態に係る表示処理方法は、表示処理装置における表示処理方法であって、電力消費または系統への電力供給の調整の要求に対する複数の依頼先全体の実績を示す実績集約情報、および前記要求に対する前記複数の依頼先の各々の実績を示す個別実績情報を取得するステップと、取得した前記実績集約情報および前記個別実績情報に基づく画面を表示する処理を行うステップとを含む。
【００３１】
このような方法により、依頼先全体の実績および依頼先ごとの実績の両方を、視覚的に容易に把握することができる。したがって、電力消費または系統への電力供給の調整に関する依頼先のより適切な管理を可能とすることができる。
【００３２】
（６）本発明の実施の形態に係る表示処理プログラムは、表示処理装置において用いられる表示処理プログラムであって、コンピュータを、電力消費または系統への電力供給の調整の要求に対する複数の依頼先全体の実績を示す実績集約情報、および前記要求に対する前記複数の依頼先の各々の実績を示す個別実績情報を取得する取得部と、前記取得部により取得された前記実績集約情報および前記個別実績情報に基づく画面を表示する処理を行う処理部、として機能させるためのプログラムである。
【００３３】
このような構成により、依頼先全体の実績および依頼先ごとの実績の両方を、視覚的に容易に把握することができる。したがって、電力消費または系統への電力供給の調整に関する依頼先のより適切な管理を可能とすることができる。
【００３４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３５】
＜第１の実施の形態＞
［構成および基本動作］
（全体構成）
図１は、本発明の第１の実施の形態に係る電力管理システムの構成を示す図である。
【００３６】
図１を参照して、電力管理システム３０１は、電力管理サーバ（表示処理装置）１０１と、系統側サーバ１２１と、端末装置１７１と、３つの需要家装置２０２とを備える。
【００３７】
図１では、３つの需要家装置２０２を代表的に示しているが、さらに多数または少数の需要家装置２０２が設けられてもよい。また、需要家装置２０２に対応して２つの負荷２０５を代表的に示しているが、さらに多数または少数の負荷２０５が需要家装置２０２に対応して設けられてもよい。
【００３８】
電力管理システム３０１では、たとえば、電力の需給が逼迫する場合、または電力の需給が逼迫するおそれがある場合において、各需要家が消費電力を調整するための需要応答（ＤＲ：Ｄｅｍａｎｄ  Ｒｅｓｐｏｎｓｅ）、すなわち各需要家が消費電力を抑制するためのＤＲを発行することが可能である。
【００３９】
電力管理システム３０１における系統側サーバ１２１は、電力系統側である送配電事業者または電力小売事業者等によって運用され、電力消費の調整に関する依頼を示す調整情報Ｓ１を電力管理サーバ１０１へ送信する。調整情報Ｓ１は、たとえば、電力消費の調整の依頼期間（以下、ＤＲ期間とも称する。）の開始タイミングおよびＤＲ期間の長さ、ならびに電力消費の調整量を示す依頼電力Ｒ１を含む。
【００４０】
なお、調整情報Ｓ１には、ＤＲ期間の長さの代わりにＤＲ期間の終了タイミングが含まれていてもよい。また、依頼電力Ｒ１は、たとえば、ＤＲ期間を３０分ごとの複数の分割期間に区分けした場合における、分割期間ごとの電力消費の調整量を含む。
【００４１】
需要家装置２０２は、電力会社から電力の供給を受けるビル、工場または一般家庭等の電力需要施設において用いられる。需要家装置２０２は、電力需要施設ごとに１つ設けられてもよいし、電力需要施設ごとに複数設けられてもよい。電力会社は、たとえば発電事業者または電力小売り事業者である。
【００４２】
需要家装置２０２は、電力需要施設における１または複数の負荷２０５を制御可能である。負荷２０５は、二次電池をエネルギー源とする二次電池式電気自動車およびプラグインハイブリッドカー、ならびに照明、テレビおよび空調装置等の電気機器である。
【００４３】
より詳細には、需要家装置２０２は、電気機器の動作を制御することによって消費電力の削減を図るためのｘＥＭＳにおいて用いられる装置であり、たとえばアグリゲータによって導入される。
【００４４】
電力管理サーバ１０１は、たとえばアグリゲータによって運用され、１または複数の需要家装置２０２と通信を行うことにより、１または複数の電力需要施設における電力消費を管理する。電力管理サーバ１０１は、たとえば、需要家装置２０２が設けられる電力需要施設から遠隔の場所に設置されることが多い。
【００４５】
卸電力取引所サーバ１１１は、たとえば、１時間前契約および４時間前契約等の契約ごとの電力取引市場を提供する。
【００４６】
端末装置１７１は、たとえば、パーソナルコンピュータであり、アグリゲータにおけるオペレータによって操作される。
【００４７】
（電力管理サーバ）
図２は、本発明の第１の実施の形態に係る電力管理システムにおける電力管理サーバの構成を示す図である。
【００４８】
図２を参照して、電力管理サーバ１０１は、通信部（取得部）２１と、処理部２２と、記憶部２３とを含む。
【００４９】
電力管理サーバ１０１における通信部２１は、他の装置と情報の送受信を行うことが可能である。この例では、通信部２１は、卸電力取引所サーバ１１１、系統側サーバ１２１、端末装置１７１および需要家装置２０２と情報の送受信を行うことが可能である。
【００５０】
記憶部２３は、管理情報、個別実績情報、実績集約情報、ＤＲ可能量情報、系統側サーバ１２１からの調整情報Ｓ１、および各種登録情報を保持する。
【００５１】
管理情報は、たとえば、アグリゲータの管理する各需要家の需要家ＩＤと、需要家ＩＤに対応する、契約内容、スケジュールおよび需要家装置２０２の装置ＩＤとを含む。たとえば、需要家ＩＤは、契約内容に応じたグループに属する。これらの契約には、電力消費の調整量に対するインセンティブがそれぞれ定められている。スケジュールは、たとえば需要家がＤＲに参加できない期間を示す。
【００５２】
個別実績情報は、各需要家のＤＲの実績を示す。具体的には、個別実績情報は、アグリゲータの管理する各需要家の需要家ＩＤと、各需要家ＩＤに対応する、ＤＲ期間に調整した電力量である実績値とを含む。
【００５３】
実績集約情報は、複数の需要家全体のＤＲの実績を示す。具体的には、実績集約情報は、たとえば、アグリゲータの管理する複数の需要家全体の実績値（以下。「実績値の合計」とも称する。）を示す。なお、各需要家のＤＲの実績および複数の需要家全体のＤＲの実績は、実績値に限らず、たとえば、依頼された電力量に対する実績値の割合などであってもよい。ＤＲ可能量情報および各種登録情報については、後述する。
【００５４】
処理部２２は、たとえば、複数の需要家装置２０２からそれぞれ通知された複数の実績値に基づいて、個別実績情報および実績集約情報を作成する。そして、処理部２２は、作成した個別実績情報および実績集約情報、ならびに記憶部２３に保存されている調整情報Ｓ１に基づいて、実績画面Ｓｃ１を図示しない表示装置に表示する処理を行う。
【００５５】
［実績画面］
（例１）
図３は、図１に示す電力管理サーバにより表示された実績画面の例１を示す図である。
【００５６】
（ａ）ＤＲ期間および実績値の合計の表示
図３を参照して、たとえば、実績画面Ｓｃ１にはタイムスケジュール表Ｔｓが含まれ、タイムスケジュール表Ｔｓには、１または複数の過去のＤＲ期間が表示される。具体的には、「イベント１」、「イベント２」および「イベント３」のＤＲが過去に発行された場合、イベントごとに、ＤＲ期間における複数の分割期間にそれぞれ対応する複数の図形がタイムスケジュール表Ｔｓに表示される。
【００５７】
また、イベントごとに、ＤＲ期間の開始時刻および終了時刻、ならびに実績値の合計がタイムスケジュール表Ｔｓに表示される。
【００５８】
具体的には、「イベント１」では、ＤＲ期間の開始時刻が３月６日の１０時であり、当該ＤＲ期間の終了時刻が３月６日の１２時であり、当該ＤＲ期間における実績値の合計が１００ｋＷである場合、タイムスケジュール表Ｔｓの３月６日の１０時〜１２時に対応する位置に、４つの図形および「１００ｋＷ」の文字が表示される。
【００５９】
「イベント２」では、ＤＲ期間の開始時刻が３月５日の９時であり、当該ＤＲ期間の終了時刻が３月５日の９時３０分であり、当該ＤＲ期間における実績値の合計が−１００ｋＷである場合、すなわち１００ｋＷ過剰に電力が消費された場合、タイムスケジュール表Ｔｓの３月５日の９時〜９時３０分に対応する位置に、１つの図形および「−１００ｋＷ」の文字が表示される。
【００６０】
「イベント３」では、ＤＲ期間の開始時刻が３月６日の９時であり、当該ＤＲ期間の終了時刻が３月６日の１０時であり、当該ＤＲ期間における実績値の合計が１５０ｋＷである場合、タイムスケジュール表Ｔｓの３月６日の９時〜１０時に対応する位置に、２つの図形および「１５０ｋＷ」の文字が表示される。
【００６１】
なお、タイムスケジュール表Ｔｓには、ＤＲ期間における実績値が表示される代わりに、たとえば、分割期間ごとの実績値が表示されてもよい。
【００６２】
また、実績画面Ｓｃ１には、たとえば、イベントごとに、依頼電力Ｒ１に対する達成率が表示される。達成率は、依頼電力Ｒ１を実績値の合計で除した値を百分率で表した値である。より詳細には、たとえば、算出した達成率を示す文字および図形が表示される。
【００６３】
具体的には、「イベント１」では、依頼電力Ｒ１が２００ｋＷであり、実績値の合計が１００ｋＷであるとすると、「５０％」の文字が表示される。「イベント２」では、依頼電力Ｒ１が２００ｋＷであり、実績値の合計が−１００ｋＷであるとすると、「−５０％」の文字が表示される。「イベント３」では、依頼電力Ｒ１が１２５ｋＷであり、実績値の合計が１５０ｋＷであるとすると、「１２０％」の文字が表示される。
【００６４】
また、たとえば、達成率に対する複数の区分（以下、「達成率区分」とも称する。）が規定されている。具体的には、達成率が１１０％以上である場合、当該達成率は「区分１」に属し、達成率が９０％〜１１０％である場合、当該達成率は「区分２」に属し、達成率が５０％〜９０％である場合、当該達成率は「区分３」に属し、達成率が５０％未満である場合、当該達成率は「区分４」に属する。
【００６５】
そして、達成率を示す図形は、対応する達成率の属する区分に応じて、異なる態様で表示される。また、実績画面Ｓｃ１には、達成率を示す図形の表示態様を提示するための説明欄Ｅ１が表示される。
【００６６】
具体的には、説明欄Ｅ１では、あるイベントに対する達成率が１１０％以上である場合、当該イベントでは、実績値が、目標調整量すなわち依頼電力Ｒ１を超過していること、および当該達成率を示す図形は右斜線のハッチングが付されて表示されることが示されている。また、説明欄Ｅ１では、あるイベントに対する達成率が９０％〜１１０％である場合、当該イベントでは実績値が目標調整量に達していること、および当該達成率を示す図形は縦線のハッチングが付されて表示されることが示されている。
【００６７】
また、説明欄Ｅ１では、あるイベントに対する達成率が５０％〜９０％である場合、当該イベントでは調整量が不足していること、および当該達成率を示す図形は右斜線および左斜線の交差したハッチングが付されて表示されることが示されている。また、説明欄Ｅ１では、あるイベントに対する達成率が５０％未満である場合、調整量が大いに不足しており、当該達成率を示す図形は左斜線のハッチングが付されて表示されることが示されている。
【００６８】
図３に示す実績画面Ｓｃ１では、「イベント１」に対応する達成率を示す図形は、「区分３」に対応する右斜線および左斜線の交差したハッチングが付され、「イベント２」に対応する達成率を示す図形は、「区分４」に対応する左斜線のハッチングが付され、「イベント３」に対応する達成率を示す図形は、「区分１」に対応する右斜線のハッチングが付されている。
【００６９】
なお、達成率を示す図形は、対応する達成率の属する区分に応じて、異なる色で表示されてもよい。
【００７０】
この場合、たとえば、達成率が１１０％以上である場合、当該達成率を示す図形が赤色で表示され、達成率が９０％〜１１０％である場合、当該達成率を示す図形が緑色で表示され、達成率が５０％〜９０％である場合、当該達成率を示す図形が青色で表示され、達成率が５０％未満である場合、当該達成率を示す図形が黒色で表示される。
【００７１】
（ｂ）個別情報の表示
また、実績画面Ｓｃ１には、１または複数の分割期間における実績値の詳細が表示される。
【００７２】
たとえば、オペレータは、タイムスケジュール表Ｔｓに含まれる１または複数の図形を選択することにより分割期間を選択し、さらに「表示」ボタンを選択する操作を端末装置１７１に対して行う。端末装置１７１は、オペレータによる操作を示す操作情報を作成し、作成した操作情報を電力管理サーバ１０１へ送信する。
【００７３】
電力管理サーバ１０１における処理部２２は、通信部２１を経由して端末装置１７１からの操作情報を受信し、受信した操作情報に基づいて、オペレータにより選択された分割期間を認識する。そして、処理部２２は、たとえば、認識した分割期間における実績値の合計、および当該分割期間における各需要者の実績値を示すテーブルＴａを含む実績画面Ｓｃ１を表示する処理を行う。
【００７４】
図３では、「イベント１」における３月６日の１０時〜１１時の分割期間がオペレータにより選択された状況を示している。この場合、実績画面Ｓｃ１には、たとえば、３月６日の１０時〜１１時の期間における実績値の合計が１１０ｋＷｈであることが表示されている。
【００７５】
また、テーブルＴａには、「イベント１」のＤＲ期間における各需要家のＤＲへの参加の有無が表示される。より詳細には、たとえば、需要家ごとに、複数の分割期間にそれぞれ対応する複数の図形が表示される。そして、これら複数の図形は、対応する分割期間における各需要家のＤＲの参加の有無に応じて、異なる態様で表示される。また、実績画面Ｓｃ１には、ＤＲへの参加の有無を示す分割期間ごとの図形の表示態様を提示するための説明欄Ｅ２が表示される。
【００７６】
具体的には、ある分割期間において対応する需要家がＤＲに参加しており、かつ当該分割期間がオペレータにより選択された分割期間である場合、当該分割期間に対応する図形は左斜線のハッチングが付されて表示される。また、ある分割期間において対応する需要家がＤＲに参加しており、かつ当該分割期間がオペレータにより選択された分割期間ではない場合、当該分割期間に対応する図形は横線のハッチングが付されて表示される。また、ある分割期間において対応する需要家がＤＲに参加していない場合、当該分割期間に対応する図形はハッチングが付されずに表示される。
【００７７】
また、テーブルＴａには、さらに、３月６日の１０時〜１１時の期間における需要家ごとの、実績値、依頼された調整量に対する達成率、当該達成率の属する達成率区分、および予測達成率が表示される。予測達成率は、たとえば、「イベント１」の開始前に、需要家ごとに、ＤＲの実績値などに基づいて算出された達成率の予測値である。
【００７８】
具体的には、需要家ＩＤ「１」については、たとえば、「イベント１」のＤＲ期間における４つの分割期間の全てにおいてＤＲに参加しており、３月６日の１０時〜１１時の期間における実績値が４０ｋＷｈであり、達成率が１００％であり、達成率区分が「区分２」であり、予測達成率が８０％である。
【００７９】
また、需要家ＩＤ「２」については、たとえば、「イベント１」のＤＲ期間における４つの分割期間のうち、１つ目の分割期間、すなわち３月６日の１０時〜１０時３０分の期間においてＤＲに参加しており、他の分割期間においてＤＲに参加していない。また、３月６日の１０時〜１１時の期間における実績値が１００ｋＷｈであり、達成率が１０５％であり、達成率区分が「区分２」であり、予測達成率が１２０％である。
【００８０】
また、需要家ＩＤ「３」については、たとえば、「イベント１」のＤＲ期間における４つの分割期間のうち、１つ目〜３つ目の分割期間、すなわち３月６日の１０時〜１１時３０分の期間においてＤＲに参加しており、４つ目の分割期間においてＤＲに参加していない。また、３月６日の１０時〜１１時の期間における実績値が−２０ｋＷｈであり、達成率が−２００％であり、達成率区分が「区分４」であり、予測達成率が１００％である。
【００８１】
また、テーブルＴａでは、「需要家ＩＤ」、「実績値」、「達成率区分」、「達成率」および「予測達成率」の各項目に、三角マークで表示されたソートボタンが設けられている。
【００８２】
たとえば、オペレータが、これら複数のソートボタンのうちのいずれか１つを選択する操作を端末装置１７１に対して行うと、端末装置１７１は、オペレータによる操作を示す操作情報を作成し、作成した操作情報を電力管理サーバ１０１へ送信する。
【００８３】
電力管理サーバ１０１における処理部２２は、通信部２１を経由して端末装置１７１からの操作情報を受信し、受信した操作情報に基づいて、オペレータにより選択されたソートボタンを認識し、当該ソートボタンに対応する所定の基準に従って、テーブルＴａにおける表示をソートする。
【００８４】
具体的には、オペレータが「達成率」の項目に設けられたソートボタンを選択した場合、テーブルＴａでは、達成率の高い需要家から順番に各項目の内容が表示される。なお、図３に示すテーブルＴａでは、一例として、需要家ＩＤの番号順に各項目の内容が表示されている。
【００８５】
なお、処理部２２は、ＤＲ期間における複数の需要家全体における実績、および各需要家の実績を示す画面を表示する処理を行う構成であればよく、分割期間ごとの実績を示す画面を表示する処理を行わない構成であってもよい。
【００８６】
（例２）
図４は、図１に示す電力管理サーバにより表示された実績画面の例２−１を示す図である。図５は、図１に示す電力管理サーバにより表示された実績画面の例２−２を示す図である。
【００８７】
図４および図５を参照して、処理部２２は、図３に示す実績画面Ｓｃ１を表示する処理の代わりに、図４に示す実績画面Ｓｃ１１または図５に示す実績画面Ｓｃ１２を表示する処理を行う構成であってもよい。
【００８８】
すなわち、ＤＲ期間の開始時刻および終了時刻、ならびにＤＲ期間における実績値の合計を表示するタイムスケジュール表Ｔｓと、オペレータにより選択された１または複数の分割期間における実績値の詳細を表示するテーブルＴａとが、互いに異なる画面に含まれてもよい。
【００８９】
たとえば、図４に示すようなタイムスケジュール表Ｔｓを含む実績画面Ｓｃ１１が表示されている状況において、オペレータにより１または複数の分割期間が選択された場合、処理部２２は、図５に示すように、テーブルＴａを含む実績画面Ｓｃ１２を表示する処理を行う。
【００９０】
なお、図４に示すタイムスケジュール表Ｔｓおよび説明欄Ｅ１は、図３に示すタイムスケジュール表Ｔｓおよび説明欄Ｅ１とそれぞれ同様である。また、図５に示すテーブルＴａは、図３に示すテーブルＴａと同様である。
【００９１】
［動作］
電力管理システム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００９２】
図６は、本発明の第１の実施の形態に係る電力管理システムにおけるＤＲ実行前の各処理のシーケンスの一例を示す図である。
【００９３】
（ＤＲ実行前）
図６を参照して、まず、電力管理サーバ１０１は、定期的にＤＲ可能量を予測する（ステップＳ１０１）。
【００９４】
より詳細には、電力管理サーバ１０１における処理部２２は、たとえば、複数の対象期間を設定し、記憶部２３における管理情報および実績集約情報に基づいて、グループごとかつ対象期間ごとに、当該グループに属する需要家が対象期間において調整することのできる電力量、をＤＲ可能量として予測する。処理部２２は、予測結果に基づいて、記憶部２３におけるＤＲ可能量を示すＤＲ可能量情報を更新する。
【００９５】
次に、電力管理サーバ１０１は、予測したＤＲ可能量に基づいて、市場登録情報を作成し、作成した市場登録情報の登録処理を行う（ステップＳ１０２）。
【００９６】
より詳細には、オペレータは、たとえば、アグリゲータがＤＲに参加する制御期間、制御期間における調整可能な電力の目標である制御量、および電力消費の調整の依頼先の条件である制御条件を入力する操作を端末装置１７１に対して行う。端末装置１７１は、オペレータの操作を示す操作情報を作成し、作成した操作情報を電力管理サーバ１０１へ送信する。
【００９７】
そして、電力管理サーバ１０１における処理部２２は、記憶部２３における管理情報、個別実績情報、実績集約情報、ならびに操作情報から得られた制御期間、制御量および制御条件に基づいて、電力消費の調整の依頼先および内容を示す候補情報を作成する。そして、処理部２２は、作成した候補情報、ならびに制御期間および制御量を含む市場登録情報を作成し、作成した市場登録情報を記憶部２３に保存する。
【００９８】
次に、系統側サーバ１２１、卸電力取引所サーバ１１１および電力管理サーバ１０１間において落札処理が行われる（ステップＳ１０３）。
【００９９】
より詳細には、電力管理サーバ１０１は、保存した市場登録情報に基づいて、自己のＩＤおよび制御期間、ならびにコストおよび調整可能な電力の期待値を商品として卸電力取引所サーバ１１１に登録する。系統側サーバ１２１は、卸電力取引所サーバ１１１に登録された商品の中から、ＤＲ計画を満たすように商品を落札する。
【０１００】
次に、系統側サーバ１２１は、たとえば、落札した商品の内容に沿った、ＤＲ期間および依頼電力Ｒ１を含む調整情報Ｓ１を電力管理サーバ１０１へ送信する（ステップＳ１０４）。なお、系統側サーバ１２１は、落札した商品の内容に沿わない調整情報Ｓ１を電力管理サーバ１０１へ送信することもある。
【０１０１】
次に、電力管理サーバ１０１における通信部２１は、たとえば、他の装置、具体的には系統側サーバ１２１から調整情報Ｓ１を受信し、受信した調整情報Ｓ１を処理部２２へ出力する。処理部２２は、通信部２１から調整情報Ｓ１を受けると、受けた調整情報Ｓ１を記憶部２３に保存する調整情報登録処理を行う（ステップＳ１０５）。
【０１０２】
次に、電力管理サーバ１０１における処理部２２は、ステップＳ１０２において登録した市場登録情報に基づく内容の依頼情報を作成する。
【０１０３】
より詳細には、処理部２２は、作成した市場登録情報から、各需要家ＩＤ、および当該各需要家ＩＤの示す需要家の調整可能な電力を把握する。そして、処理部２２は、記憶部２３に保存されている管理情報から、取得した各需要家ＩＤに対応する装置ＩＤを依頼情報の宛先として取得し、装置ＩＤごとに、対応の宛先、ＤＲ期間、および対応の調整可能な電力を含む依頼情報を作成する。そして、処理部２２は、作成した各依頼情報を通信部２１へ出力する（ステップＳ１０６）。
【０１０４】
次に、通信部２１は、処理部２２によって作成された依頼情報を依頼先に通知する。より詳細には、通信部２１は、処理部２２から装置ＩＤごとの依頼情報を受けると、受けた各依頼情報を、各々の依頼情報に含まれる宛先の示す需要家装置２０２へ送信する（ステップＳ１０７）。
【０１０５】
次に、各需要家装置２０２は、電力管理サーバ１０１から依頼情報を受信すると、受信した依頼情報を登録する依頼情報登録処理を行う（ステップＳ１０８）。
【０１０６】
（ＤＲ実行中）
ＤＲ実行中において、まず、各需要家装置２０２は、自己のＤＲの実績を示す実績値情報を定期的または不定期に電力管理サーバ１０１へ送信する（ステップＳ２０１）。
【０１０７】
次に、電力管理サーバ１０１は、集計処理を行う。より詳細には、電力管理サーバ１０１における処理部２２は、各需要家装置２０２からの実績値情報を通信部２１経由で受信し、実績値情報および調整情報Ｓ１に基づいて、ＤＲに参加した全ての需要家のＤＲ期間における電力消費の調整の実績を集計する。
【０１０８】
そして、処理部２２は、集計結果に基づいて実績集約情報を作成する。また、処理部２２は、各需要家装置２０２からの実績値情報がそれぞれ示す複数の実績値を含む、個別実績情報を作成する（ステップＳ２０２）。
【０１０９】
次に、電力管理サーバ１０１は、作成した個別実績情報および実績集約情報に基づく実績画面を表示装置に表示する処理を行う。具体的には、電力管理サーバ１０１は、たとえば、上述した図３に示す実績画面Ｓｃ１、または図４に示す実績画面Ｓｃ１１を表示装置に表示する処理を行う。
【０１１０】
そして、たとえばオペレータにより、ＤＲ期間における１または複数の分割期間を選択する操作が端末装置１７１に対して行われた場合、電力管理サーバ１０１は、当該分割期間における実績の詳細を含む実績画面Ｓｃ１を表示する処理、または当該分割期間における実績の詳細を示す実績画面Ｓｃ１２を表示する処理を行う。なお、現在実行中のＤＲについては、たとえば、直前の分割期間までの実績が表示される（ステップＳ２０３）。
【０１１１】
次に、処理部２２は、個別実績情報および実績集約情報を、通信部２１経由で系統側サーバ１２１へ送信する（ステップＳ２０４）。
【０１１２】
次に、系統側サーバ１２１は、電力管理サーバ１０１から個別実績情報および実績集約情報を受信すると、受信した個別実績情報および実績集約情報の内容を登録する登録処理を行う（ステップＳ２０５）。
【０１１３】
（ＤＲ実行後）
ＤＲ実行後において、まず、各需要家装置２０２は、自己のＤＲの実績を示す実績値情報を電力管理サーバ１０１へ送信する（ステップＳ３０１）。
【０１１４】
次に、電力管理サーバ１０１は、上述したステップＳ２０２と同様に、集計処理を行う。すなわち、電力管理サーバ１０１における処理部２２は、各需要家装置２０２からの実績値情報を通信部２１経由で受信し、実績値情報および調整情報Ｓ１に基づいて、ＤＲに参加した全ての需要家のＤＲ期間における電力消費の調整の実績を集計する。
【０１１５】
そして、処理部２２は、集計結果に基づいて実績集約情報を作成する。また、処理部２２は、各需要家装置２０２からの実績値情報がそれぞれ示す複数の実績値を含む、個別実績情報を作成する（ステップＳ３０２）。
【０１１６】
次に、電力管理サーバ１０１は、作成した個別実績情報および実績集約情報に基づく実績画面を表示装置に表示する処理を行う。そして、たとえばオペレータにより、ＤＲ期間における１または複数の分割期間を選択する操作が端末装置１７１に対して行われた場合、当該分割期間における実績の詳細が表示される（ステップＳ３０３）。
【０１１７】
次に、処理部２２は、個別実績情報および実績集約情報を、通信部２１経由で系統側サーバ１２１へ送信する（ステップＳ３０４）。
【０１１８】
次に、系統側サーバ１２１は、電力管理サーバ１０１から個別実績情報および実績集約情報を受信すると、受信した個別実績情報および実績集約情報の内容を登録する登録処理を行う（ステップＳ３０５）。
【０１１９】
次に、系統側サーバ１２１は、たとえば、登録した個別実績情報に基づいて、各需要家に支払うべき対価を算出する（ステップＳ３０６）。そして、系統側サーバ１２１を運用する送配電事業者または電力小売事業者は、系統側サーバ１２１により算出された需要家ごとの対価を、対応する複数の需要家へそれぞれ付与する。
【０１２０】
次に、本発明の他の実施の形態について図面を用いて説明する。なお、図中同一または相当部分には同一符号を付してその説明は繰り返さない。
【０１２１】
＜第２の実施の形態＞
本実施の形態は、第１の実施の形態に係る電力管理システムと比べて系統への電力供給を管理する電力管理システムに関する。以下で説明する内容以外は第１の実施の形態に係る電力管理システムと同様である。
【０１２２】
［全体構成］
図７は、本発明の実施の形態の変形例に係る電力管理システムの構成を示す図である。
【０１２３】
図７を参照して、電力管理システム３０２は、電力管理サーバ（表示処理装置）１０２と、送配電事業者サーバ１４１と、端末装置１７１と、２つの需要家装置２０２とを備える。
【０１２４】
電力管理システム３０２における端末装置１７１および需要家装置２０２の動作は、図１に示す電力管理システム３０１における端末装置１７１および需要家装置２０２とそれぞれ同様である。
【０１２５】
図７では、２つの需要家装置２０２を代表的に示しているが、さらに多数または少数の需要家装置２０２が設けられてもよい。また、需要家装置２０２に対応して１つの負荷２０５を代表的に示しているが、さらに多数の負荷２０５が需要家装置２０２に対応して設けられてもよい。
【０１２６】
電力管理システム３０２では、たとえば、太陽光発電装置によって発電された電力の系統への電力供給が過剰である場合、または当該電力の系統への電力供給が過剰になるおそれがある場合において、太陽光発電装置の管理者、具体的には各需要家および再生エネルギー事業者が系統への電力供給を調整するためのＰＶ出力調整依頼を発行することが可能である。
【０１２７】
電力管理システム３０２における送配電事業者サーバ１４１は、たとえば、電力系統側である送配電事業者によって運用され、系統への電力供給の調整に関する依頼、すなわち系統への電力供給の抑制に関する依頼を示す調整情報Ｓ２を、電力管理サーバ１０２および再エネ事業者サーバ１３１へそれぞれ送信する。調整情報Ｓ２は、たとえば、系統への電力供給の調整の依頼期間（以下、ＰＶ調整期間とも称する。）の開始タイミングおよびＰＶ調整期間の長さ、ならびに系統への電力供給の調整量を示す依頼電力Ｒ２を含む。
【０１２８】
需要家装置２０２は、電力需要施設における中小規模発電装置２０６を制御可能である。
【０１２９】
中小規模発電装置２０６は、たとえば、中規模または小規模の太陽光発電装置であり、需要家装置２０２の制御に従って動作するＰＣＳ（Ｐｏｗｅｒ  Ｃｏｎｄｉｔｉｏｎｉｎｇ  Ｓｙｓｔｅｍ）等の電力変換装置を含む。なお、中小規模発電装置２０６は、太陽光発電装置に限らず、風力発電装置等であってもよい。
【０１３０】
電力変換装置は、たとえば、発電した直流電力を交流電力に変換して負荷２０５へ出力すること、当該交流電力を系統へ出力する逆潮流を行うこと、発電した直流電力を変圧して蓄電装置２０７に蓄電すること、および蓄電装置２０７から受ける直流電力を交流電力に変換して負荷２０５へ出力することが可能である。
【０１３１】
電力管理サーバ１０２は、たとえば、１または複数の需要家装置２０２と通信を行うことにより、中小規模発電装置２０６によって発電された電力の系統への電力供給を管理する。
【０１３２】
より詳細には、電力管理サーバ１０２は、たとえば、送配電事業者サーバ１４１から調整情報Ｓ２を受信すると、中小規模発電装置２０６の発電電力を調整する制御、および当該発電電力を蓄電装置２０７に蓄電する制御を、需要家装置２０２を介して行う。これにより、系統への電力供給が調整される。
【０１３３】
再エネ事業者サーバ１３１、大規模発電装置１３２および蓄電装置１３３は、発電施設に設けられる。なお、再エネ事業者サーバ１３１は、発電施設の外部に設けられてもよい。
【０１３４】
再エネ事業者サーバ１３１は、たとえば、電力系統側である再生エネルギー事業者によって運用され、発電施設における大規模発電装置１３２を制御可能である。
【０１３５】
大規模発電装置１３２は、たとえば、大規模の太陽光発電装置であり、再エネ事業者サーバ１３１の制御に従って動作する電力変換装置を含む。なお、大規模発電装置１３２は、太陽光発電装置に限らず、風力発電装置等であってもよい。
【０１３６】
電力変換装置は、たとえば、発電した直流電力を昇圧して蓄電装置１３３に蓄電すること、および蓄電装置１３３から受ける直流電力、または発電した直流電力を交流電力に変換して系統へ出力することが可能である。
【０１３７】
再エネ事業者サーバ１３１は、たとえば、大規模発電装置１３２を制御することにより、大規模発電装置１３２によって発電された電力の系統への電力供給を管理する。
【０１３８】
より詳細には、再エネ事業者サーバ１３１は、たとえば、送配電事業者サーバ１４１から調整情報Ｓ３を受信すると、大規模発電装置１３２の発電電力を調整する制御、および当該発電電力を蓄電装置１３３に蓄電する制御を行う。これにより、系統への電力供給が調整される。
【０１３９】
［電力管理サーバ］
図８は、本発明の第２の実施の形態に係る電力管理システムにおける電力管理サーバの構成を示す図である。
【０１４０】
図８を参照して、電力管理サーバ１０１は、通信部２１と、処理部３２と、記憶部２３とを含む。電力管理サーバ１０２における通信部２１および記憶部２３の動作は、図２に示す電力管理サーバ１０１における通信部２１および記憶部２３とそれぞれ同様である。
【０１４１】
記憶部２３は、管理情報、個別実績情報、実績集約情報、過去に送配電事業者サーバ１４１からの調整情報Ｓ２、および各種登録情報を保持する。
【０１４２】
管理情報は、たとえば、アグリゲータの管理する各需要家の需要家ＩＤと、需要家ＩＤに対応する、契約内容、スケジュールおよび需要家装置２０２の装置ＩＤとを含む。たとえば、需要家ＩＤは、契約内容に応じたグループに属する。スケジュールは、たとえば需要家がＰＶ出力調整に参加できない期間を示す。
【０１４３】
個別実績情報は、各需要家のＰＶ出力調整の実績を示す。具体的には、個別実績情報は、アグリゲータの管理する各需要家の需要家ＩＤと、各需要家ＩＤに対応する、ＰＶ出力調整期間に供給調整した電力の実績値とを含む。実績集約情報は、複数の需要家全体の供給調整した電力の実績を示す。具体的には、実績集約情報は、たとえば、アグリゲータの管理する複数の需要家全体の実績値を示す。
【０１４４】
なお、各需要家の供給調整した電力の実績、および複数の需要家全体の供給調整した電力の実績は、実績値に限らず、たとえば、依頼された調整量に対する実績値の割合などであってもよい。
【０１４５】
処理部３２は、たとえば、複数の需要家装置２０２からそれぞれ通知された複数の実績値に基づいて、個別実績情報および実績集約情報を作成する。そして、処理部２２は、作成した個別実績情報および実績集約情報、ならびに記憶部２３に保存されている調整情報Ｓ２に基づいて、実績画面を図示しない表示装置に表示する処理を行う。
【０１４６】
処理部３２により表示処理される実績画面は、たとえば、上述した図３に示すような実績画面Ｓｃ１、または図４および図５にそれぞれ示すような実績画面Ｓｃ１１および実績画面Ｓｃ１２と同様である。
【０１４７】
ところで、送配電事業者および電力小売り事業者は、多くの電力需要施設にｘＥＭＳが導入されることにより、全体的な電力需要を広範囲に調整することが容易となる。
【０１４８】
たとえば、送配電事業者および電力小売り事業者は、電力需給の逼迫が予測される場合に、アグリゲータに対して予め節電依頼を行う。そして、アグリゲータは、電力需要施設の需要家に対して節電依頼を行う。
【０１４９】
また、たとえば、送配電事業者は、電力の供給が需要を上回ると予想される場合、発電量の調整を再生エネルギー事業者、および発電装置を所有する需要家に対して、系統への電力供給の調整を依頼する。
【０１５０】
しかしながら、再生エネルギー事業者および需要家により実際に調整される電力量は、アグリゲータまたは送配電事業者から依頼された依頼電力量と異なることがある。そして、実際に調整される電力量と依頼電力量との間に大きな差がある場合、電力需給が逼迫したり、電力の供給が需要を上回ったりし、系統における電力の需給バランスが崩れる。また、このような場合、アグリゲータにペナルティが発生することがある。
【０１５１】
さらに、アグリゲータの管理対象である再生エネルギー事業者および需要家等の数が膨大である場合、個々の管理対象を適切に管理することは困難である。
【０１５２】
これに対して、本発明の実施の形態に係る電力管理サーバ１０１，１０２では、通信部２１が、電力消費または系統への電力供給の調整の要求に対する複数の需要家全体の実績を示す実績集約情報、および当該要求に対する複数の需要家の各々の実績を示す個別実績情報を取得する。そして、処理部２２，３２が、通信部２１により取得された実績集約情報および個別実績情報に基づく実績画面Ｓｃ１，Ｓｃ１１，Ｓｃ１２を表示する処理を行う。
【０１５３】
このような構成により、需要家全体の実績および需要家ごとの実績の両方を、視覚的に容易に把握することができる。したがって、電力消費または系統への電力供給の調整に関する依頼先のより適切な管理を可能とすることができる。
【０１５４】
また、本発明の第実施の形態に係る電力管理サーバ１０１，１０２では、処理部２２，３２は、たとえば、実績集約情報の内容および個別実績情報の内容を、１つの画面、すなわち実績画面Ｓｃ１に表示する処理を行う。
【０１５５】
このような構成により、需要家全体の実績および需要家ごとの実績の両方を、１つの画面において合わせて把握することができる。
【０１５６】
また、本発明の実施の形態に係る電力管理サーバ１０１，１０２では、処理部２２，３２は、たとえば、実績集約情報の内容および個別実績情報の内容を、互いに異なる画面、すなわち実績画面Ｓｃ１１および実績画面Ｓｃ１２にそれぞれに表示する処理を行う。
【０１５７】
このような構成により、画面に表示される内容の煩雑化を防ぎ、管理対象である需要家の数が多いような場合であっても需要家の個々の実績を容易に把握することができる。
【０１５８】
また、本発明の実施の形態に係る電力管理サーバ１０１，１０２では、処理部２２，３２は、ＤＲ期間における分割期間ごとの、実績集約情報の内容および個別実績情報の内容を表示する処理が可能である。
【０１５９】
このような構成により、需要家全体の実績および需要家ごとの実績のより詳細な内容を把握することができるため、依頼先をより一層適切に管理することができる。
【０１６０】
本発明の第１および第２の実施の形態では、電力管理サーバ１０１，１０２が、個別実績情報および実績集約情報に基づいて実績画面Ｓｃ１，Ｓｃ１１，Ｓｃ１２を表示する処理を行う構成であるとしたが、これに限定するものではない。たとえば、電力管理システム３０１，３０２は、実績画面Ｓｃ１，Ｓｃ１１，Ｓｃ１２を表示する処理を行う表示処理装置を備える構成であってもよい。
【０１６１】
この場合、表示処理装置は、たとえば、電力管理サーバ１０１，１０２から個別実績情報および実績集約情報を取得し、これら個別実績情報および実績集約情報に基づいて実績画面Ｓｃ１，Ｓｃ１１，Ｓｃ１２を表示する処理を行う。この表示処理装置は、たとえば図１に示す端末装置１７１であってもよいし、端末装置１７１とは異なる装置であってもよい。
【０１６２】
なお、本発明の第１の実施の形態および第２の実施の形態に係る各装置の構成要素および動作のうち、一部または全部を適宜組み合わせることも可能である。
【０１６３】
また、本発明の第１の実施の形態および第２の実施の形態に係るサーバの機能の一部または全部が、クラウドコンピューティングによって提供されてもよい。すなわち、本発明の第１の実施の形態および第２の実施の形態に係るサーバが、複数のクラウドサーバ等によって構成されてもよい。
【０１６４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６５】
以上の説明は、以下に付記する特徴を含む。
【０１６６】
［付記１］
電力消費または系統への電力供給の調整の要求に対する複数の依頼先全体の実績を示す実績集約情報、および前記要求に対する前記複数の依頼先の各々の実績を示す個別実績情報を取得する取得部と、
前記取得部により取得された前記実績集約情報および前記個別実績情報に基づく画面を表示する処理を行う処理部とを備え、
前記処理部は、前記調整の期間が複数ある場合、前記調整の期間ごとに、前記複数の依頼先全体の実績を表示する処理を行い、
前記実績は、前記調整の期間に調整された電力量である実績値、前記調整が依頼された電力量に対する前記実績値の割合である達成率、および前記達成率の属する区分を含み、
前記処理部は、さらに、前記依頼先ごとに、前記達成率を示す図形を、前記達成率の属する区分に応じて異なる態様で表示する処理を行う、表示処理装置。
【符号の説明】
【０１６７】
２１  通信部（取得部）
２２，３２  処理部
２３  記憶部
１０１，１０２  電力管理サーバ（表示処理装置）
１１１  卸電力取引所サーバ
１２１  系統側サーバ
１３１  再エネ事業者サーバ
１３２  大規模発電装置
１３３  蓄電装置
１４１  送配電事業者サーバ
１５１  小売事業者サーバ
１７１  端末装置
２０２  需要家装置
２０５  負荷
２０６  中小規模発電装置
２０７  蓄電装置
３０１，３０２  電力管理システム
【図１】
2018207712.tif 000003
【図２】
2018207712.tif 000004
【図３】
2018207712.tif 000005
【図４】
2018207712.tif 000006
【図５】
2018207712.tif 000007
【図６】
2018207712.tif 000008
【図７】
2018207712.tif 000009
【図８】
2018207712.tif 000010